【手続補正書】
【提出日】平成30年12月7日(2018.12.7)
【手続補正１】
【補正対象書類名】明細書
【補正対象項目名】００９１
【補正方法】変更
【補正の内容】
【００９１】
上記及び他の例は以下の特許請求の範囲内にある。本発明の実施態様の一部を以下の項目［１］−［４６］に記載する。
［１］
患者の口腔内で歯科修復物を形成するためのカスタム器具であって、
前記患者の少なくとも１本の歯牙とのカスタマイズされた嵌め合いを提供する金型本体であって、前記歯牙の顔面側表面に対応する顔面側表面を形成する顔面側部分を含み、かつ前記歯牙の舌側表面に対応する舌側表面を形成する分離した舌側部分を更に含む、金型本体、を含み、
前記金型本体が、前記患者の前記歯牙と組み合わせになって前記歯牙の欠損歯牙構造を覆い囲む金型キャビティを形成するように構成される、カスタム器具。
［２］
前記顔面側部分が、前記舌側部分と分離可能かつ係合可能である、項目１に記載のカスタム器具。
［３］
前記カスタム器具が、第１の隣在歯の隣接面に対応する隣接面を形成する、項目１に記載のカスタム器具。
［４］
前記顔面側部分が前記隣接面を形成し、前記隣接面が前記第１の隣在歯の隣接面に対応する、項目３に記載のカスタム器具。
［５］
前記舌側部分が前記隣接面を形成し、前記隣接面が第２の隣在歯に対応する、項目３に記載のカスタム器具。
［６］
咬合面を含む咬合側部分を更に含み、前記咬合面が前記歯牙の咬合面に対応する、項目１に記載のカスタム器具。
［７］
前記顔面側部分、前記舌側部分、及び前記咬合側部分が全て、修復を受ける歯牙の周囲に嵌合するようにカスタマイズされている、項目６に記載のカスタム器具。
［８］
前記患者の口腔内で前記修復を受ける歯牙を更に含む、項目７に記載のカスタム器具。
［９］
前記顔面側部分及び前記舌側部分が、前記患者の前記口腔の三次元スキャンデータに基づく、項目１に記載のカスタム器具。
［１０］
前記顔面側部分及び前記舌側部分が、三次元プリンティングによって製造される、項目９に記載のカスタム器具。
［１１］
前記顔面側表面及び前記舌側部分が一体となって修復前の前記歯牙の外面に対応する内表面を形成する、項目１に記載のカスタム器具。
［１２］
前記金型キャビティ内にある歯科修復材料を更に含む、項目１に記載のカスタム器具。
［１３］
前記カスタム器具が、前記歯牙を取り囲む歯肉に対応する歯肉面を形成する、項目１に記載のカスタム器具。
［１４］
前記カスタム器具が、前記歯牙の修復のため前記歯牙から前記歯肉を圧排する、項目１３に記載のカスタム器具。
［１５］
前記顔面側部分及び前記舌側部分が、前記修復を受ける前記歯牙からの前記第１の隣在歯及び第２の隣在歯の分離を補助する、項目１に記載のカスタム器具。
［１６］
前記顔面側部分及び前記舌側部分が、前記修復を受ける前記歯牙を血液又は唾液から隔離する、項目１に記載のカスタム器具。
［１７］
前記顔面側部分及び前記舌側部分が、ＣＡＤ／ＣＡＭミリング加工によって製造される、項目１に記載のカスタム器具。
［１８］
前記修復を受ける前記歯牙用の歯科修復材料充填高さインジケータを更に含む、項目１に記載のカスタム器具。
［１９］
前記顔面側表面及び前記舌側表面が、前記歯牙の修復前の前記歯牙の外面に対応する、項目１に記載のカスタム器具。
［２０］
前記顔面側部分が、前記患者の前記口腔の近遠心方向歯列弓に沿って係合及び係合解除する、項目１に記載のカスタム器具。
［２１］
前記顔面側部分が、頬側部分である、項目１に記載のカスタム器具。
［２２］
前記顔面側部分が、唇側部分である、項目１に記載のカスタム器具。
［２３］
前記カスタム器具が、前記歯牙の咬合面に対応する咬合面を形成する、項目１に記載のカスタム器具。
［２４］
項目１に記載のカスタム器具であって、
前記少なくとも１本の歯牙が、複数の歯牙であり、
前記金型キャビティが、前記複数の歯牙のうちの第１の歯牙に隣接した第１の金型キャビティであり、かつ
前記金型本体が、前記複数の歯牙のうちの第２の歯牙と組み合わせになって、前記複数の歯牙のうちの前記第２の歯牙の欠損歯牙構造を覆い囲む第２の金型キャビティを形成するように構成される、カスタム器具。
［２５］
前記金型キャビティが、
前記歯牙の咬合面又は切端面、
前記歯牙の前記舌側表面、及び
前記歯牙の前記顔面側表面、からなる群のうちの１つ以上に隣接する、項目１に記載のカスタム器具。
［２６］
項目１に記載のカスタム器具であって、
前記カスタム器具が、組み合わせになって前記患者の前記歯牙の歯科修復を容易にする一組のカスタム器具における前記第１のカスタム器具であり、金型キャビティが第１の金型キャビティであり、かつ
前記一組の実質的に同様のカスタム器具における第２のカスタム器具が、前記歯牙並びに前記第１のカスタム器具を使用して前記歯牙に積層された歯科修復材料と組み合わせになって、前記歯牙の更なる欠損歯牙構造を覆い囲むように構成された第２の金型キャビティを形成する、カスタム器具。
［２７］
前記金型本体が、前記金型キャビティに通じるポートを形成し、前記ポートが、歯科修復材料の注入を受け入れるように構成される、項目１に記載のカスタム器具。
［２８］
前記金型本体が、歯科修復材料の前記注入時における前記金型キャビティのベントを促進するように構成されたベントポートを形成する、項目２７に記載のカスタム器具。
［２９］
要素を含み、前記要素の位置が光学的スキャンデータに基づいて選択され、前記要素が、
パーティングライン、
注入ポート、
ベント、
ゲート、及び
境界線からなる群から選択される、項目１に記載のカスタム器具。
［３０］
患者の口腔内で歯科修復物を形成するためのキットであって、
項目１に記載のカスタム器具と、
歯科修復材料と、を含む、キット。
［３１］
前記カスタム器具のポートと嵌合するカニューレアダプタを含む歯科用カプセルを更に含み、前記歯科修復材料が前記歯科用カプセルに提供される、項目３０に記載のキット。
［３２］
接着剤を更に含む、項目３０に記載のキット。
［３３］
マトリックスバンドを更に含む、項目３０に記載のキット。
［３４］
パッドと、
ブラシと、
分注ウェルと、を更に含む、項目３０に記載のキット。
［３５］
二次的隔離用の構成要素を更に含む、項目３０に記載のキット。
［３６］
研磨及び仕上げ用の構成要素を更に含む、項目３０に記載のキット。
［３７］
前記患者の前記歯牙に予め選択されたシェードの歯科修復材料カプセルを更に含む、項目３０に記載のキット。
［３８］
患者の口腔内で歯科修復物を形成する方法であって、
金型を前記患者の歯牙の一部分に被せて配置する工程であって、前記金型が前記歯牙と組み合わせになって前記歯牙の欠損歯牙構造を覆い囲む金型キャビティを形成する、工程と、
歯科修復材料を前記金型キャビティ内に注入する工程と、
前記歯科修復材料を前記金型キャビティ内で硬化させる工程であって、それにより前記歯牙を再形成する工程と、
前記患者の前記歯牙から前記金型を取り外す工程と、を含む方法。
［３９］
前記金型が項目１に記載のカスタム器具の一部である、項目３８に記載の方法。
［４０］
前記器具が、前記患者の前記口腔の三次元スキャンデータに基づく、項目３９に記載の方法。
［４１］
患者の口腔内で歯科修復物を形成する方法であって、
歯科修復材料を前記患者の歯牙の一部分に載せる工程と、
金型を前記歯牙の前記一部分に被せて配置する工程であって、前記金型が前記歯牙と組み合わせになって前記歯牙の欠損歯牙構造を覆い囲む金型キャビティを形成する、工程と、
前記歯科修復材料を前記金型キャビティ内で硬化させる工程であって、それにより前記歯牙を再形成する工程と、
前記患者の前記歯牙から前記金型を取り外す工程と、を含む、方法。
［４２］
前記金型が項目１に記載のカスタム器具の一部である、項目４１に記載の方法。
［４３］
前記器具が、前記患者の前記口腔の三次元スキャンデータに基づく、項目４２に記載の方法。
［４４］
患者の口腔内で歯牙の歯科修復物を形成するためのカスタム器具の製造方法であって、
患者の口腔の三次元スキャンデータを入手する工程と、
前記患者の前記口腔の前記三次元スキャンデータに基づき前記歯牙の前記歯科修復物を形成するためのカスタム器具を三次元プリントする工程と、を含み、
前記カスタム器具が、前記患者の前記歯牙と組み合わせになって前記歯牙の欠損歯牙構造を覆い囲む金型キャビティを形成するように構成される、方法。
［４５］
前記カスタム器具が項目１に記載のカスタム器具である、項目４４に記載の方法。
［４６］
前記器具の前記顔面側部分及び前記舌側部分が、各々、前記修復を受ける前記歯牙の周囲に嵌合するようにカスタマイズされている、項目４５に記載の方法。
【手続補正２】
【補正対象書類名】特許請求の範囲
【補正対象項目名】全文
【補正方法】変更
【補正の内容】
【特許請求の範囲】
【請求項１】
患者の口腔内で歯科修復物を形成するためのカスタム器具であって、
前記患者の少なくとも１本の歯牙とのカスタマイズされた嵌め合いを提供する金型本体であって、前記歯牙の顔面側表面に対応する顔面側表面を形成する顔面側部分を含み、かつ前記歯牙の舌側表面に対応する舌側表面を形成する分離した舌側部分を更に含む、金型本体、を含み、
前記金型本体が、前記患者の前記歯牙と組み合わせになって前記歯牙の欠損歯牙構造を覆い囲む金型キャビティを形成するように構成される、カスタム器具。
【請求項２】
前記顔面側部分が、前記舌側部分と分離可能かつ係合可能である、請求項１に記載のカスタム器具。
【請求項３】
前記カスタム器具が、第１の隣在歯の隣接面に対応する隣接面を形成する、請求項１に記載のカスタム器具。
【請求項４】
咬合面を含む咬合側部分を更に含み、前記咬合面が前記歯牙の咬合面に対応する、請求項１に記載のカスタム器具。
【請求項５】
前記顔面側部分及び前記舌側部分が、前記患者の前記口腔の三次元スキャンデータに基づく、請求項１に記載のカスタム器具。
【請求項６】
前記顔面側表面及び前記舌側部分が一体となって修復前の前記歯牙の外面に対応する内表面を形成する、請求項１に記載のカスタム器具。
【請求項７】
前記カスタム器具が、前記歯牙を取り囲む歯肉に対応する歯肉面を形成し、前記カスタム器具が、前記歯牙の修復のため前記歯牙から前記歯肉を圧排する、請求項１に記載のカスタム器具。
【請求項８】
前記顔面側部分及び前記舌側部分が、前記修復を受ける前記歯牙からの第１の隣在歯及び第２の隣在歯の分離を補助する、請求項１に記載のカスタム器具。
【請求項９】
前記顔面側部分及び前記舌側部分が、前記修復を受ける前記歯牙を血液又は唾液から隔離する、請求項１に記載のカスタム器具。
【請求項１０】
前記修復を受ける前記歯牙用の歯科修復材料充填高さインジケータを更に含む、請求項１に記載のカスタム器具。